(57)【要約】【課題】記録紙マガジンのスライド移動中の位置決め操作をより簡単に行えるようにする。【解決手段】長尺の記録紙をロール状に収納する記録紙マガジンを着脱自在に取り付けるマガジン取付部ＭＳが設けられた画像形成装置において、前記マガジン取付部に、前記記録紙マガジンの位置を規制する第１ガイド部材１６が設けられ、前記記録紙マガジン及び前記マガジン取付部のうちの一方に、前記記録紙マガジンの位置決めを行うための位置決め部材が備えられ、他方に、前記位置決め部材と嵌合する嵌合部ＪＰと、前記位置決め部材を嵌合部ＪＰへ案内する第２ガイド部材ＧＰとが備えられ、第２ガイド部材ＧＰは、前記位置決め部材を受入れる受入れ端部の前記左右方向での受入れ幅が、前記位置決め部材の嵌合部ＪＰに対する相対的な存在位置の変動範囲の最大幅以上となるように構成されている。【選択図】図３
2007197125.tif 000002
【特許請求の範囲】
【請求項１】
長尺の記録紙をロール状に収納する記録紙マガジンを着脱自在に取り付けるマガジン取付部と、記録紙マガジンから引き出された記録紙に画像を形成する画像形成ユニットと、前記マガジン取付部に取り付けられた記録紙マガジンから前記画像形成ユニットによる画像形成位置へ記録紙を搬送する記録紙搬送手段とが設けられた画像形成装置であって、
前記マガジン取付部に、略水平方向でのスライド移動によって前記記録紙マガジンを前記マガジン取付部に取り付けるときに、スライド移動方向視で左右方向での前記記録紙マガジンの位置を規制する第１ガイド部材が設けられ、
前記記録紙マガジン及び前記マガジン取付部のうちの一方に、前記マガジン取付部へ取り付けたときの前記記録紙マガジンの位置決めを行うための位置決め部材が備えられ、
他方に、前記位置決め部材と嵌合して前記記録紙マガジンの位置決めをする嵌合部と、
前記位置決め部材を前記左右方向の両側から挟む姿勢で支承して前記位置決め部材を前記嵌合部へ案内する第２ガイド部材とが備えられ、
前記第２ガイド部材は、前記位置決め部材を受入れる受入れ端部の前記左右方向での受入れ幅が、前記記録紙マガジンが前記第１ガイド部材に案内されている状態における前記位置決め部材の前記嵌合部に対する前記左右方向での相対的な存在位置の変動範囲の最大幅以上となるように構成されている画像形成装置。
【請求項２】
前記第２ガイド部材は、平面視で略Ｖ字形状の支持面で前記位置決め部材を案内するように構成されている請求項１記載の画像形成装置
【請求項３】
前記記録紙マガジンの底部側にキャスターが備えられ、
前記マガジン取付部は、前記画像形成ユニット及び前記記録紙搬送手段を収納する筐体内に配置されている請求項１又は２記載の画像形成装置。
【発明の詳細な説明】
【技術分野】
【０００１】
本発明は、長尺の記録紙をロール状に収納する記録紙マガジンを着脱自在に取り付けるマガジン取付部と、記録紙マガジンから引き出された記録紙に画像を形成する画像形成ユニットと、前記マガジン取付部に取り付けられた記録紙マガジンから前記画像形成ユニットによる画像形成位置へ記録紙を搬送する記録紙搬送手段とが設けられた画像形成装置に関する。
【背景技術】
【０００２】
かかる画像形成装置は、例えば下記特許文献１にも記載のように、ロール状の記録紙を記録紙マガジンから引き出して画像形成ユニットにて画像を形成する作業を極めて高速に行う業務用のプリント処理装置である。
このような画像形成装置においては、取り扱うプリントサイズを変更するときや、記録紙マガジン内の記録紙が無くなったとき等には、記録紙マガジンを交換する作業が必要となる。
この記録紙マガジンの交換作業においては、画像形成装置の操作者が、既に装填されている記録紙マガジンを持ち上げて取り外した後、更に、新たな記録紙マガジンを持ち上げて所定の装填箇所に正確に位置決めした状態でセットする、という作業を行う。
【特許文献１】特開２００４−３０２２８４号公報
【発明の開示】
【発明が解決しようとする課題】
【０００３】
従って、上記従来構成では、記録紙マガジンに収納されているロール状の記録紙の紙幅が小さいものであれば比較的軽量であるため、記録紙マガジンを持ち上げた状態で設置位置の正確な位置決めを行う作業もそれほど困難なものではないが、紙幅の大きい記録紙ロールを取り扱う場合には記録紙マガジンはかなりの重量となり、上記のような作業を行う操作者に多大な労力を強いることになってしまう。
このような作業負担を軽減するためには、記録紙マガジンを持ち上げた状態で位置決めするのではなく、記録紙マガジンの一部をマガジン取付部に載せた状態とした後、記録紙マガジンをスライド移動させて正規の装填位置に移動させて装填する構成とし、そのスライド移動の過程で位置決め操作を行うことが考えられる。
又、そのような構成とする場合は、記録紙マガジンのスライド移動を容易に行えるようにするために、記録紙マガジンにキャスターを備えて、より重量の大きな記録紙マガジンにも対応できるようにすることも考えられる。
本発明は、記録紙マガジンの装填作業を上記のような形態で行う場合において、記録紙マガジンのスライド移動中の位置決め操作をより簡単に行えるようにする点にある。
【課題を解決するための手段】
【０００４】
本出願の第１の発明は、長尺の記録紙をロール状に収納する記録紙マガジンを着脱自在に取り付けるマガジン取付部と、記録紙マガジンから引き出された記録紙に画像を形成する画像形成ユニットと、前記マガジン取付部に取り付けられた記録紙マガジンから前記画像形成ユニットによる画像形成位置へ記録紙を搬送する記録紙搬送手段とが設けられた画像形成装置において、前記マガジン取付部に、略水平方向でのスライド移動によって前記記録紙マガジンを前記マガジン取付部に取り付けるときに、スライド移動方向視で左右方向での前記記録紙マガジンの位置を規制する第１ガイド部材が設けられ、前記記録紙マガジン及び前記マガジン取付部のうちの一方に、前記マガジン取付部へ取り付けたときの前記記録紙マガジンの位置決めを行うための位置決め部材が備えられ、他方に、前記位置決め部材と嵌合して前記記録紙マガジンの位置決めをする嵌合部と、前記位置決め部材を前記左右方向の両側から挟む姿勢で支承して前記位置決め部材を前記嵌合部へ案内する第２ガイド部材とが備えられ、前記第２ガイド部材は、前記位置決め部材を受入れる受入れ端部の前記左右方向での受入れ幅が、前記記録紙マガジンが前記第１ガイド部材に案内されている状態における前記位置決め部材の前記嵌合部に対する前記左右方向での相対的な存在位置の変動範囲の最大幅以上となるように構成されている。
【０００５】
すなわち、記録紙マガジンをスライド移動させてマガジン取付部の所定の位置に装填するという構成をとる場合、その記録紙マガジンのスライド移動を案内する第１ガイド部材と記録紙マガジンとの間の隙間が小さいと、記録紙マガジンの姿勢の変動は抑制できるものの、記録紙マガジンが突っかかる等して記録紙マガジンのスライド移動自体が行い辛いものとなってしまうので、第１ガイド部材にて案内される記録紙マガジンの前記左右方向でのがたつきをある程度許容するように第１ガイド部材の設置寸法等を設定する。
このように第１ガイド部材と記録紙マガジンとの間のがたつきを許容すると、そのままでは、そのがたつきの分だけ記録紙マガジンの位置決めに手間取ることになってしまう。
そこで、更に、スライド移動する記録紙マガジンの位置決め部材を、記録紙マガジン及びマガジン取付部のうちの一方に備えると共に、他方に、その位置決め部材に嵌合する嵌合部と位置決め部材を嵌合部へ案内するガイド部材（第２ガイド部材）とを備える。
そして、その第２ガイド部材において位置決め部材を受入れる端部の幅が、前記がたつきによる位置決め部材の相対的な位置変動幅以上となるようにしている。
これによって、前記がたつきを利用して記録紙マガジンのスライド操作を容易に行えながら、特に位置決めに注意を払うことなくスライド操作を行うだけで、前記位置決め部材と前記嵌合部とを嵌合させて、的確な位置決めを行うことができる。
【０００６】
又、本出願の第２の発明は、上記第１の発明の構成に加えて、前記第２ガイド部材は、平面視で略Ｖ字形状の支持面で前記位置決め部材を案内するように構成されている。
従って、略Ｖ字形状の支持面で円滑に記録紙マガジンの位置決め部材を案内することができる。
又、本出願の第３の発明は、上記第１又は第２の発明の構成に加えて、前記記録紙マガジンの底部側にキャスターが備えられ、前記マガジン取付部は、前記画像形成ユニット及び前記記録紙搬送手段を収納する筐体内に配置されている。
記録紙マガジンに収納する記録紙ロールの紙幅が特に幅広になるような場合、その記録紙ロールを収納する記録紙マガジンの重量は極めて大きなものとなってしまう。
このような場合に、記録紙マガジンにキャスターを備えて、記録紙マガジンの単純な搬送動作のみならず、記録紙マガジンをマガジン取付部に装填する際にも、それの移動操作を容易なものとしている。
このようなキャスターの取り付けを要する程に重量のある記録紙マガジンを取り扱う場合において、本発明によって記録紙マガジン装填時の位置決め作業を補助することが特に好適となる。
【発明の効果】
【０００７】
上記第１の発明によれば、前記がたつきを利用して記録紙マガジンのスライド操作を容易に行えながら、特に位置決めに注意を払うことなくスライド操作を行うだけで、記録紙マガジンの的確な位置決めを行うことができるので、記録紙マガジンのスライド移動中の位置決め操作をより簡単に行えるものとなった。
又、上記第２の発明によれば、記録紙マガジンの位置決め部材を円滑に嵌合部に案内できるので、記録紙マガジンのスライド移動中の位置決め操作をより簡単に行える。
又、上記第３の発明によれば、キャスターの取り付けを要する程に重量のある記録紙マガジンを取り扱う場合において、記録紙マガジンのスライド移動中の位置決め操作をより簡単に行えるものとなった。
【発明を実施するための最良の形態】
【０００８】
以下、本発明の画像形成装置の実施の形態を図面に基づいて説明する。
〔画像形成装置ＩＦの全体構成〕
本発明の画像形成装置ＩＦは、図１に概略的に示すように、筐体１内に、長尺の記録紙２をロール状に収納する記録紙マガジン３，４を着脱自在に取り付けるマガジン取付部ＭＳと、記録紙マガジン３，４から引き出された記録紙２に画像を形成する画像形成ユニット５と、マガジン取付部ＭＳに取り付けられた記録紙マガジン３，４から画像形成ユニットによる画像形成位置ＥＰへ記録紙を搬送する記録紙搬送手段ＴＭと、画像形成位置ＥＰの記録紙搬送方向下流側において記録紙２のループを形成して画像が形成された記録紙２を一時的に貯留するループユニット６とが設けられている。
【０００９】
本実施の形態では、画像形成ユニット５は、プリント作製対象の画像データによって強度変調されたレーザビームを記録紙２の搬送方向（副走査方向）と直交する方向（主走査方向）に走査して画像を形成するレーザビーム露光方式で構成している。
これに対応して、記録紙２として印画紙を使用しており、又、画像形成装置ＩＦの後段側には、画像形成ユニット５にて記録紙２上に潜像として形成された画像を現像処理する現像処理装置（図示を省略）が接続されている。
記録紙搬送手段ＴＭは、多数の搬送ローラ１１、並びに、図示を省略するガイド部材及び搬送ローラ１１を回転駆動するモータ等を備えて構成されている。
本実施の形態では、記録紙マガジン３，４として、比較的紙幅の小さい記録紙２を収納する小型の記録紙マガジン４と、紙幅の大きい記録紙２を収納する大型の記録紙マガジン３とを筐体１内に同時に収納して使用することができ、記録紙搬送手段ＴＭは、記録紙マガジン３あるいは記録紙マガジン４のいずれか一方から選択的に記録紙２を引出し搬送する。
【００１０】
記録紙搬送手段ＴＭの搬送経路の途中箇所には、記録紙２を設定プリントサイズに切断するカッタ１２が備えられている。
カッタ１２による記録紙２の切断長さは、小型の記録紙マガジン４で取り扱う記録紙２ではそれほど長いものではないが、大型の記録紙マガジン３で取扱う記録紙２については、紙幅が幅広であるのに対応して記録紙搬送方向での切断長さも長くなる。
ループユニット６は、記録紙マガジン３から供給される切断長さの長い記録紙２のために備えられている。
すなわち、記録紙搬送方向での記録紙２の長さが長いと、画像形成位置ＥＰから後段の現像処理装置へそのまま搬送すると、記録紙２の先端が現像処理装置に入ったのに、後端側では画像形成位置ＥＰで画像が露光形成されているというような場合が生じる。
【００１１】
これでは画像形成位置ＥＰでの露光処理に振動等によって悪影響を及ぼす可能性があるので、画像形成位置ＥＰで画像が露光形成されている間は、記録紙２を現像処理装置へ送り込まないように、ループユニット６において、記録紙２のループを形成して貯留し、画像の形成が完了すると、ループユニット６の後段側で記録紙２を搬送する排出搬送系ＯＴにて、記録紙２を現像処理装置へ送り込む。
小型の記録紙マガジン４から供給される記録紙２の場合は、切断長が相対的に短いので、ループユニット６における一時的な貯留の必要はなく、画像形成位置ＥＰから排出搬送系ＯＴを経て現像処理装置へ送り込む。
尚、本実施の形態では備えていないが、画像形成位置ＥＰとカッタ１２による切断位置との間隔が短い場合には、画像形成位置ＥＰとカッタ１２との間にも、ループユニット６と同様の装置を備えても良い。
【００１２】
〔記録紙マガジン３，４の装填態様〕
次ぎに、記録紙マガジン３，４を画像形成装置ＩＦの筐体１内へ装填するための構成について説明する。
小型の記録紙マガジン４は、相対的に軽量であるので、操作者が記録紙マガジン４を手で持ち上げて位置決めを行い、所定の位置に装填する。装填作業の具体的な態様としては、例えば、記録紙マガジン４を載置するスライド台を筐体１から引き出して、その上に記録紙マガジン４を載せるようにしても良いし、記録紙マガジン４の一端をマガジン取付部ＭＳに載せてから記録紙マガジン４を筐体１の奥側へ押し込みつつ位置決めするような構成でも良い。
【００１３】
大型の記録紙マガジン３は、図６（ａ）の側面図及び図６（ｂ）の正面図に示すように、記録紙マガジン３の筐体の１側面側が、図６（ｂ）において矢印Ａで示す方向に揺動開閉自在の扉２３となっており、扉２３をを開き操作した状態でロール状の記録紙２を出し入れする。
図６（ａ）に示すように、扉２３と反対側の側面には、記録紙２を引き出すためのスリット上の開口２４が形成されている。詳細な説明は省略するが、開口２４には遮光のためのシャッタが備えられている。
【００１４】
記録紙マガジン３は、記録紙マガジン４に比べて重量が大きいため、図６（ａ）及び図６（ｂ）に示すように、底部側にキャスター２１が備えられ、操作者が取っ手２２を把持して記録紙マガジン３を容易に押し移動操作できるように構成されている。
この記録紙マガジン３をマガジン取付部ＭＳに装填するときは、図７に示すように、キャスター２１及び取っ手２２を含めた記録紙マガジン３の全体を画像形成装置ＩＦの筐体１内へ収納するようになっている。
操作者が記録紙マガジン３を押し移動操作して筐体１内へ乗り込ませるために、図７の側面図に示すように、画像形成装置ＩＦに乗降用スロープ７が取り付けられている。
【００１５】
乗降用スロープ７は、マガジン取付部ＭＳの扉体をも兼用しており、基端部が水平軸芯周りに揺動自在に筐体１に組み付けられている。乗降用スロープ７の遊端側を上方側に揺動操作して閉じると、乗降用スロープ７の底面が筐体１の周囲箇所と略面一となるように構成されている。
記録紙マガジン３の進入方向視での乗降用スロープ７の左右方向両側は、その左右方向で記録紙マガジン３の位置を規制するガイド板７ａが形成されている。尚、ガイド板７ａの案内幅は、遊端側端部が末拡がり状に幅広となるように構成されており、記録紙マガジン３の乗降用スロープ７への乗り込みを行い易くしている。
記録紙マガジン３側には、このガイド板７ａに円滑に案内されるように、サイドローラ２５が、前記左右方向両側夫々で４箇所に取り付けられている。
サイドローラ２５は、縦軸芯周りに回動自在に、フレーム２６から左右の外方側へ若干量突出する姿勢で取り付けられている。
【００１６】
記録紙マガジン３は、マガジン取付部ＭＳに完全に乗り込んだ後は、マガジン取付部ＭＳの底板８上を略水平方向でスライド移動することになる。
マガジン取付部ＭＳを平面視で図示する図３に示すように、マガジン取付部ＭＳ内の底板８には、マガジン取付部ＭＳ内において前記スライド移動する記録紙マガジン３をスライド移動方向視（奥行き方向視）での左右方向で位置規制するガイド部材（便宜上、「第１ガイド部材１６」と称する）が左右一対に取り付けられている。
この第１ガイド部材１６の案内幅は、乗降用スロープ７のガイド板７ａにおける基端側の案内幅と略一致させてある。
尚、以下において、単に「左右方向」というときは、このスライド移動方向視（奥行き方向視）での左右方向を意味するものとする。
【００１７】
〔記録紙マガジン３の位置決め構成〕
操作者に押し操作されて、ガイド板７ａ及び第１ガイド部材１６に案内されながら、乗降用スロープ７を経てマガジン取付部ＭＳへ進入した記録紙マガジン３は、奥行き方向ではマガジン取付部ＭＳの奥側に設置された受止めピン１３にて位置決めされ（図３及び図７参照）、奥行き方向視での左右方向では、奥側と手前側との２箇所に設置されたマガジン支持台１４，１５にて位置決めされる（図３及び図７参照）。
受止めピン１３は、記録紙マガジン３の奥行き方向先端側に備えられた嵌合孔２７に嵌合する高さに設置されている。
【００１８】
２箇所に設置されたマガジン支持台１４，１５は、側面視で図示する図４に示すように、基本的な構成は共通であり、記録紙マガジン３を支持する支持高さのみが異なる。
奥側のマガジン支持台１４は、平面視の拡大図である図２に示すように、金属の板材の曲げ加工によって作製された基枠３１と、基枠３１の縦壁部３１ａの上端付近に左右一対に取り付けられた支持ローラ３３と、基枠３１の上端に位置する天板部３１ｂに取り付けられて記録紙マガジン３を前記左右方向で位置決めするための位置決めガイド３４とを主要部として構成されている。一対の支持ローラ３３は、シャフト３３ａにて連結されて回動自在に支持されている。
手前側のマガジン支持台１５は、基枠３２の縦壁部３２ａの高さのみが異なり、基枠３２の上端に位置する天板部３２ｂ等の他の構成要素の形状及び寸法は全てマガジン支持台１４と共通である。
ちなみに、図５では、この手前側のマガジン支持台１５を、奥行き方向視で図示しており、マガジン支持台１４側と共通する同一形状の部品である支持ローラ３３や位置決めガイド３４は同一符号で示している。尚、図５では、図面を見易くするために、手前側のフレーム部材を除いて図示している。
【００１９】
このマガジン支持台１４，１５に対応して、記録紙マガジン３側には、底面の奥側と手前側とに位置決め用ブロック２８，２９が取り付けられている（図４及び図５参照）。
位置決め用ブロック２８，２９は、前記左右方向での幅が一対の支持ローラ３３の幅と略同一であり、前記左右方向の中央に円柱状の位置決め部材２８ａ，２９ａが取り付けられている。
この位置決め部材２８ａ，２９ａは、マガジン取付部ＭＳを取り付けたときの記録紙マガジン３の位置決めを行うための部材である。
奥側の位置決め用ブロック２８と手前側の位置決め用ブロック２９とは、高さ寸法のみが異なり、それによって、夫々の底面の底板８からの高さ、すなわち、位置決め部材２８ａ，２９ａの取り付け高さが異なるように構成されている。
奥側の位置決め用ブロック２８の位置決め部材２８ａ取り付け高さは、奥側のマガジン支持台１４の位置決めガイド３４の取り付け高さに対応して高い位置にあり、手前側の位置決め用ブロック２９の位置決め部材２９ａの取り付け高さに対応して低い位置にある。
これによって、図４からも明らかなように、記録紙マガジン３の奥行き方向への移動の過程で、奥側の位置決め部材２８ａは手前側のマガジン支持台１５とは接当せず、それの上方を通過することになる。
【００２０】
図２に示すように、位置決めガイド３４には、奥行き方向に延びる切り込みが形成されており、その切り込みの奥側部分（平面視でＵ字状の部分）が位置決め部材２８ａ（マガジン支持台１５の位置決めガイド３４については位置決め部材２９ａ）と嵌合する嵌合部ＪＰとなっており、嵌合部ＪＰの手前側部分（平面視で略Ｖ字形状の部分）が位置決め部材２８ａ（マガジン支持台１５では位置決め部材２９ａ）を案内するガイド部材（便宜上、「第２ガイド部材ＧＰ」と称する）となっている。
第２ガイド部材ＧＰは、平面視で略Ｖ字形状の支持面で位置決め部材２８ａ，２９ａを案内することで、位置決め部材２８ａ，２９ａを前記左右方向の両側から挟む姿勢で支承して案内する関係となり、的確に嵌合部ＪＰへ案内する。
【００２１】
第２ガイド部材ＧＰの、位置決め部材２８ａ，２９ａを受入れる受入れ端部（手前側の端部）の前記左右方向での受入れ幅「ＷＲ」（図２及び図５参照）は、位置決め部材２８ａ，２９ａの前記左右方向での幅を「ＷＰ」、奥行き方向視で右側のサイドローラ２５と第１ガイド部材１６との間隔を「ＸＲ」（図５参照）、奥行き方向視で左側のサイドローラ２５と第１ガイド部材１６との間隔を「ＸＬ」（図５参照）とすると、ＷＲ≧ＷＰ＋ＸＲ＋ＸＬとなるように構成してある。
換言すると、前記受入れ幅「ＷＲ」は、記録紙マガジン３が第１ガイド部材１６に案内されている状態における位置決め部材２８ａ，２９ａの前記嵌合部ＪＰに対する前記左右方向での相対的な存在位置の変動範囲の最大幅以上となるように構成されている。尚、図５では、上記「ＸＲ」及び「ＸＬ」は、図面を見易くするために、実際の幅よりも若干大きめに図示している。
【００２２】
これによって、第１ガイド部材１６と記録紙マガジン３との間で、有る程度の隙間を確保して容易に記録紙マガジン３を押し込めるようにできながらも、位置決め部材２８ａ，２９ａは、第２ガイド部材ＧＰとの接当によって確実に嵌合部ＪＰへと案内され、前記左右方向での位置決めが的確に行える。
位置決め部材２８ａ，２９ａが第２ガイド部材ＧＰの受入れ端部から嵌合部ＪＰへと案内される過程で、位置決め用ブロック２８，２９の底面２８ｂ，２９ｂは、支持ローラ３３上に達するが、位置決め用ブロック２８の底面２８ｂの高さは、奥側に位置するマガジン支持台１４の支持ローラ３３の上端の高さよりもわずかに低く、又、位置決め用ブロック２９の底面２９ｂの高さは、手前側に位置するマガジン支持台１５の支持ローラ３３の上端の高さよりもわずかに低いので、位置決め用ブロック２８，２９の底面２８ｂ，２９ｂは、支持ローラ３３上に乗り上げることになる（図５参照）。
【００２３】
記録紙マガジン３側の位置決め部材２８ａ，２９ａ及びマガジン取付部ＭＳ側のマガジン支持台１４，１５、並びに、記録紙マガジン３側の嵌合孔２７及びマガジン取付部ＭＳ側の受止めピン１３の作用によって、記録紙マガジン３がマガジン取付部ＭＳ内において位置決めされるに伴って、図示を省略するロック機構によって記録紙マガジン３の存在位置が固定される。
この後、操作者が乗降用スロープ７を閉じると、記録紙マガジン３の開口２４から記録紙２が引き出され、画像形成ユニット５にて画像が形成された後、ループユニット６等を経て現像処理装置へ送り込まれる。
【００２４】
〔別実施形態〕
以下、本発明の別実施形態を列記する。
（１）上記実施の形態では、位置決め部材２８ａ，２９ａを記録紙マガジン３側に備え、嵌合部ＪＰ及び第２ガイド部材ＧＰを構成する位置決めガイド３４をマガジン取付部ＭＳ側に備える場合を例示しているが、それとは逆に、位置決め部材２８ａ，２９ａをマガジン取付部ＭＳ側に備え、嵌合部ＪＰ及び第２ガイド部材ＧＰを構成する位置決めガイド３４を記録紙マガジン３側に備える構成としても良い。
（２）上記実施の形態では、記録紙マガジン３のマガジン取付部ＭＳへの装填動作を補助するためのサイドローラ２５を記録紙マガジン３側に設ける場合を例示しているが、ガイド板７ａの端部、第１ガイド部材１６の端部、あるいは、記録紙マガジン３を装填する際に記録紙マガジン３の側面が近接するマガジン取付部ＭＳの筐体内壁に設けて記録紙マガジン３を導くように構成しても良い。
（３）上記実施の形態では、画像形成ユニット５をレーザビーム露光方式で構成する場合を例示しているが、画像形成方式は露光によるものに限らず、例えば、インクジェット方式等の形式のものでも良い。
【図面の簡単な説明】
【００２５】
【図１】本発明の実施の形態にかかる画像形成装置の概略構成図
【図２】本発明の実施の形態にかかる平面視によるマガジン支持台の拡大図
【図３】本発明の実施の形態にかかるマガジン取付部の平面図
【図４】本発明の実施の形態にかかる位置決め構造を示す側面図
【図５】本発明の実施の形態にかかる奥行き方向視による位置決め構造を示す図
【図６】本発明の実施の形態にかかる記録紙マガジンの側面図及び正面図
【図７】本発明の実施の形態にかかる記録紙マガジンの装填動作を示す図
【符号の説明】
【００２６】
２              記録紙
３              記録紙マガジン
５              画像形成ユニット
１６            第１ガイド部材
２１            キャスター
２８ａ，２９ａ  位置決め部材
ＧＰ            第２ガイド部材
ＪＰ            嵌合部
ＭＳ            マガジン取付部
ＴＭ            記録紙搬送手段
【図１】
2007197125.tif 000003
【図２】
2007197125.tif 000004
【図３】
2007197125.tif 000005
【図４】
2007197125.tif 000006
【図５】
2007197125.tif 000007
【図６】
2007197125.tif 000008
【図７】
2007197125.tif 000009